(57)【要約】【課題】  使用者と乳幼児が離れることなく、抱っこ又はおんぶの状態に切り換えることが可能な子守帯を提供する。【解決手段】  一端部の左右近傍に位置する第１、第２取り付け部と他端部の左右に位置する第３、第４取り付け部で着脱自在に係合されることにより、第１、第２取り付け部の間に乳幼児の頭部が通り、乳幼児の胴体部分を前後に被うことができる帯状の乳幼児保持部を備える。一端部の左右に位置する第５、第６取り付け部と、乳幼児保持部の中央部近傍の左右に位置する第７、第８取り付け部で係合される第１、第２肩ベルト部を備える。乳幼児保持部の中央部近傍の左右に位置する第９、第１０取り付け部の間で係合される使用者及び乳幼児の腰を保持する使用者用腰ベルト部を備える。第１、第２取り付け部は、肩ベルト部にある。【選択図】      図１
2005052474.tif 000002
【特許請求の範囲】
【請求項１】
一端部の左右近傍に位置する第１、第２取り付け部と他端部の左右に位置する第３、第４取り付け部で着脱自在に係合されることにより、前記第１、第２取り付け部の間に前記乳幼児の頭部が通り、乳幼児の胴体部分を前後に被うことができる帯状の乳幼児保持部と、
前記一端部の左右に位置する第５、第６取り付け部と、前記乳幼児保持部の中央部近傍の左右に位置する第７、第８取り付け部で係合される第１、第２肩ベルト部と、
前記乳幼児保持部の中央部近傍の左右に位置する第９、第１０取り付け部の間で係合される前記使用者及び前記乳幼児の腰を保持する使用者用腰ベルト部とを備える前記使用者が前記乳幼児を抱っこ及びおんぶするために用いる子守帯。
【請求項２】
前記第１、第２取り付け部は、前記肩ベルト部にあることを特徴とする請求項１に記載の子守帯。
【請求項３】
前記一端部の幅は、前記乳幼児の頭部の幅と同程度であり、前記他端部の幅は、前記乳幼児の肩幅と同程度であり、前記一端部の幅よりも広いことを特徴とする請求項１に記載の子守帯。
【請求項４】
前記他端部に、前記他端部の幅を調整する絞り部を備えることを特徴とする請求項１に記載の子守帯。
【請求項５】
前記第１、第２肩ベルト部は、１つの帯形状で構成され、前記第５、第６取り付け部の間において貫設されることを特徴とする請求項１に記載の子守帯。
【請求項６】
前記第３、第４取り付け部の係合位置は、前記乳幼児保持部の長手方向に選択可能であることを特徴とする請求項１に記載の子守帯。
【請求項７】
前記第５、第６取り付け部の係合位置は、前記乳幼児保持部の横手方向に選択可能であることを特徴とする請求項１に記載の子守帯。
【請求項８】
前記第１、第２肩ベルト部は、前記第５、第６取り付け部、及び前記第７、第８取り付け部で着脱自在に係合され、前記使用者用腰ベルト部は、前記第９、第１０取り付け部の間で着脱自在に係合されることを特徴とする請求項１に記載の子守帯。
【請求項９】
前記乳幼児保持部の中央部近傍の左右に位置する第１１、第１２取り付け部で係合される前記乳幼児の腰を保持する乳幼児用腰ベルト部を備えることを特徴とする請求項１に記載の子守帯。
【請求項１０】
前記乳幼児用腰ベルト部は、前記第１１、第１２取り付け部で着脱自在に係合されることを特徴とする請求項９に記載の子守帯。
【請求項１１】
前記第１、第２肩ベルト部の中央部近傍の第１３、第１４取り付け部に係合される背面保持ベルト部を備えることを特徴とする請求項１に記載の子守帯。
【請求項１２】
前記乳幼児保持部の外側から前記乳幼児を被うことができる防寒カバーを有する収納部を備える請求項１に記載の子守帯。
【請求項１３】
前記防寒カバーは、前記収納部から着脱可能であることを特徴とする請求項１２に記載の子守帯。
【発明の詳細な説明】
【技術分野】
【０００１】
本発明は、子守帯に関し、特に、使用者が子守帯に乳幼児を保持したまま、抱っこからおんぶに切り換えることが可能な子守帯に関する。
【背景技術】
【０００２】
一般に、子守帯は、使用者が乳幼児を背負うおんぶと、使用者が乳幼児を前抱きする抱っこに用いられ、これらの両方が使える子守帯が普及している。
【０００３】
一例として、特許文献１は、おんぶと抱っこの両方に使用できる子守帯を開示する。
【特許文献１】特開２００３−１１１６４７号公報
【発明の開示】
【発明が解決しようとする課題】
【０００４】
しかし、おんぶと抱っこを切り換える際には、一度、おんぶ又は抱っこしていた乳幼児を使用者の背負い状態又は前抱き状態から離し、乳幼児の体勢や子守帯の取り付け具の取り付け位置を変える等の作業を行う必要がある。そのため、一旦、使用者と乳幼児の体が離れるので、この間に、乳幼児が泣き出すなどの問題があった。
【０００５】
したがって本発明の目的は、使用者が乳幼児をおんぶ又は抱っこしている状態から、使用者と乳幼児が離れることなく、抱っこ又はおんぶの状態に切り換えることが可能な子守帯を提供することである。
【課題を解決するための手段】
【０００６】
本発明に係る、使用者が乳幼児を抱っこ及びおんぶするために用いる子守帯は、一端部の左右近傍に位置する第１、第２取り付け部と他端部の左右に位置する第３、第４取り付け部で着脱自在に係合されることにより、第１、第２取り付け部の間に乳幼児の頭部が通り、乳幼児の胴体部分を前後に被うことができる帯状の乳幼児保持部と、一端部の左右に位置する第５、第６取り付け部と、乳幼児保持部の中央部近傍の左右に位置する第７、第８取り付け部で係合される第１、第２肩ベルト部と、乳幼児保持部の中央部近傍の左右に位置する第９、第１０取り付け部の間で係合される使用者及び乳幼児の腰を保持する使用者用腰ベルト部とを備える。これにより、乳幼児を片手で抱っこしながら、他方の手で子守帯の装着が可能となり、乳幼児を装着したまま、抱っこからおんぶに変えることが可能となり、不使用時には、使用者用腰ベルト部で他の部を巻き込んで折り畳み収納が可能になる。また、乳幼児の胴体の側面は、腰ベルト部で被われるだけで通気性も確保できる。
【０００７】
好ましくは、第１、第２取り付け位置は、肩ベルト部にある。これにより、第１、第２取り付け部の間の距離が、第１、第２取り付け位置が乳幼児保持部にある場合よりも、広くなり、第３、第４取り付け部との係合が容易になる。
【０００８】
また、好ましくは、一端部の幅は、乳幼児の頭部の幅と同程度であり、他端部の幅は、乳幼児の肩幅と同程度であり、一端部の幅よりも広い。これにより、一端部の両端に位置される肩ベルト部の取り付け位置が、使用者の肩幅よりも狭くなり、肩ベルト部を両腕に通した時にずれにくくなる。
【０００９】
また、好ましくは、他端部に、他端部の幅を調整する絞り部を備える。これにより、乳幼児の大きさ（特に横幅）に合わせて、他端部の幅を調整することが可能になる。
【００１０】
また、好ましくは、第１、第２肩ベルト部は、１つの帯形状で構成され、第５、第６取り付け部の間において貫設される。これにより、肩ベルト部の構成が一体化される。
【００１１】
また、好ましくは、第３、第４取り付け部の係合位置は、乳幼児保持部の長手方向に選択可能である。これにより、乳幼児の大きさに合わせて前後に被う位置関係の調整が可能になる。
【００１２】
また、好ましくは、第５、第６取り付け部の係合位置は、乳幼児保持部の横手方向に選択可能である。これにより、第５、第６取り付け部の間の距離を肩幅よりも狭く調整することができ、肩ベルト部が使用者の肩からずり落ちることの防止が可能になる。
【００１３】
また、好ましくは、第１、第２肩ベルト部は、第５、第６取り付け部、及び第７、第８取り付け部で着脱自在に係合され、使用者用腰ベルト部は、第９、第１０取り付け部の間で着脱自在に係合される。これにより、各部の洗濯などメンテナンスの簡素化、及び色替えなどデザイン性向上ができる。
【００１４】
また、好ましくは、乳幼児保持部の中央部近傍の左右に位置する第１１、第１２取り付け部で係合される乳幼児の腰を保持する乳幼児用腰ベルト部を備える。これにより、乳幼児の横からのずり落ち防止が強化される。
【００１５】
さらに、好ましくは、乳幼児用腰ベルト部は、第１１、第１２取り付け部で着脱自在に係合される。これにより、各部の洗濯などメンテナンスの簡素化、及び色替えなどデザイン性向上ができる。
【００１６】
また、好ましくは、第１、第２肩ベルト部の中央部近傍の第１３、第１４取り付け部に係合される背面保持ベルト部を備える。これにより、肩ベルト部がずり落ちることを防止することが可能である。
【００１７】
また、好ましくは、乳幼児保持部の外側から乳幼児を被うことができる防寒カバーを有する収納部を備える。これにより、小物の収納及び乳幼児を寒さから防ぐ防寒カバーを収納することが可能である。
【００１８】
さらに、好ましくは、防寒カバーは、収納部から着脱可能である。これにより、防寒カバー、及び収納部の洗濯などメンテナンスの簡素化、及び色替えなどデザイン性向上ができる。
【発明の効果】
【００１９】
以上のように本発明によれば、使用者が乳幼児をおんぶ又は抱っこしている状態から、使用者と乳幼児が離れることなく、抱っこ又はおんぶの状態に切り換えることが可能な子守帯を提供することができる。
【発明を実施するための最良の形態】
【００２０】
以下、本発明の実施形態について、子守帯１の構成と、その使用方法について説明する。
【００２１】
図１は、子守帯１の乳幼児と接する内側部分の斜視図を、図２は乳幼児と接しない外側部分の斜視図を示す。子守帯１は、乳幼児保持部１００、肩ベルト部３００、背面保持ベルト部４００、使用者用腰ベルト部５００、収納部６００、及び乳幼児用腰ベルト部７００を備える。
【００２２】
乳幼児保持部１００は、乳幼児の胴体部分を前後から被う帯状の部材である。乳幼児保持部１００は、帯状の中央部近傍を折り曲げて乳幼児の股間部を当て、一端部Ａと他端部Ｂのそれぞれの両端部分が係合されることによって乳幼児の胴体部分を前後から被う程度の長さと幅を有する。通常の抱っこ、及びおんぶの場合は、乳幼児の顔が一端部Ａの方に向くように乳幼児保持部１００を被う。一方、前向き抱っこ、及び後ろ向きおんぶの場合は、乳幼児の顔が他端部Ｂの方に向く用に乳幼児保持部１００を被う。本実施形態では、乳幼児保持部１００において、図１〜４に示される上端部を一端部Ａと、下端部を他端部Ｂとして説明する。
【００２３】
一端部Ａの幅は、乳幼児の頭部の幅と同程度に、他端部Ｂの幅は、乳幼児の肩幅と同程度にし、一端部Ａよりも他端部Ｂの幅の方を広くしておくと、後述する第１、第２肩ベルト部３０１、３０２が係合される位置の距離が、使用者の肩幅よりも狭くなる。この場合、使用者が肩ベルト部３００を両腕に通した時に、ズレ落ちにくくなる効果がある。
【００２４】
乳幼児保持部１００は、他の部などと係合されるための取り付け部を有する。乳幼児保持部１００は、第１、第２取り付け部１０１、１０２を一端部Ａの左右近傍に有する。乳幼児保持部１００は、第３、第４取り付け部１０３、１０４を他端部Ｂの左右に有する。乳幼児保持部１００は、第５、第６取り付け部１０５、１０６を一端部Ａの左右に有する。乳幼児保持部１００は、第７、第８取り付け部１０７、１０８を乳幼児保持部１００の中央部近傍の左右に有する。
【００２５】
第１、第２取り付け部１０１、１０２と、第３、第４取り付け部１０３、１０４は、それぞれが係合されることにより、乳幼児保持部１００を折り畳んで乳幼児を前後に被う。第５、６取り付け部１０５、１０６と、第７、第８取り付け部１０７、１０８は、肩ベルト部３００が取り付けられる。第９、第１０取り付け部の間には、使用者用腰ベルト部５００が取り付けられる。第１１、第１２取り付け部は、乳幼児用腰ベルト部７００が取り付けられる。
【００２６】
但し、第１、第２取り付け部１０１、１０２は、一端部Ａの左右近傍に位置すればよく、乳幼児保持部１００に有さずとも、後述する肩ベルト部３００が有してもよい。乳幼児保持部１００において、一端部Ａ側を細くした場合には、肩ベルト部３００に第１、第２取り付け部１０１、１０２がある方が、第３、第４取り付け部１０３、１０４と係合させることが容易になるからである。図１〜１１では、総て、第１、第２取り付け部１０１、１０２が肩ベルト部３００側に有している場合を示す。
【００２７】
ここでいう、一端部Ａの左右近傍は、乳幼児保持部１００が折り曲げられて一端部Ａと他端部Ｂの左右が係合されることによって乳幼児の胴体部分を前後から被うことができる程度の位置関係の範囲内をいう。従って、第１、第２取り付け部１０１、１０２が乳幼児保持部１００にある場合は、一端部Ａに近い方が、乳幼児保持部１００が乳幼児の胴体部分を被う範囲が長くなる。第１、第２取り付け部１０１、１０２が、肩ベルト部３００にある場合は、一端部Ａから離れている方が、乳幼児保持部１００が乳幼児の胴体部分を被う範囲が長くなるが、乳幼児を保持できる高さ位置が低くなる。
【００２８】
第１取り付け部１０１と、第３取り付け部１０３、及び第２取り付け部１０２と、第４取り付け部１０４は、それぞれ、乳幼児の体重で外れず、かつ着脱自在な係合部材である取り付け具を有する。図１〜１１では、簡単のため、第１、第２取り付け部１０１、１０２側の取り付け具をフック形状に、第３、第４取り付け部１０３、１０４側の取り付け具をフックが掛け止めされるリング形状であるとして説明するが、乳幼児の安全を考慮して係合バックルなど他の取り付け具であってもよい。
【００２９】
第３、第４取り付け部１０３、１０４は、乳幼児保持部１００の他端部Ｂの左右の長手方向に取り付け具を複数有し、第１、第２取り付け部１０１、１０２と係合される位置が選択可能である。第３取り付け部１０３の有する取り付け具を１０３ａ、１０３ｂ、１０３ｃで、第４取り付け部１０４の有する取り付け具を１０４ａ、１０４ｂ、１０４ｃで表す。これらの取り付け具は、いずれも、第１、第２取り付け部１０１、１０２が有する取り付け具と係合される。取り付け具を複数有することで、第１、第２取り付け部１０１、１０２と、第３、第４取り付け部１０３、１０４との間の長さを変化させることが可能になり、乳幼児保持部１００によって被われる乳幼児の胴体部分の長さに合わせて子守帯１を使用することが可能になる。
【００３０】
具体的には、乳幼児保持部１００の他端部Ｂに近い、取り付け具１０３ｃ、１０４ｃを第３、第４取り付け部の取り付け具として、一端部Ａ左右近傍の第１、第２取り付け部１０１、１０２の取り付け具と係合した場合、比較的胴体の長い乳幼児を被うのに適する。一方、乳幼児保持部１００の中央部に近い、取り付け具１０３ａ、１０４ａを第３、第４取り付け部の取り付け具として、一端部Ａ左右近傍の第１、第２取り付け部１０１、１０２の取り付け具と係合した場合、比較的胴体の短い乳幼児を被うのに適する。本実施形態では、第３、第４取り付け部１０３、１０４の有する取り付け具をそれぞれ３つとしたが、他の数であってもよい。
【００３１】
乳幼児保持部１００の他端部Ｂは、他端部Ｂの幅を調整する絞り部８００を有しても良い（図３参照）。絞り部８００は、ベルト状に係合される第１、第２絞りベルト８０１、８０２で構成される。絞り部８００で乳幼児保持部１００の他端部Ｂを絞ると、他端部Ｂの幅を狭めることができ、乳幼児の大きさ（特に横幅）に合わせた装着が可能になる。絞り部８００の構成は、紐状など、他端部Ｂの幅を調整できる部材であればベルト状でなくてもよい。
【００３２】
肩ベルト部３００は、一端部Ａの左右にある第５、第６取り付け部１０５、１０６と、乳幼児保持部１００の中央部近傍の左右にある第７、第８取り付け部１０７、１０８で係合されるベルト部材で、使用者の左右の肩に掛けられる。肩ベルト部３００は、使用者の左右の腕を通すように、第１、第２肩ベルト部３０１、３０２で構成される。抱っこの場合は、使用者は、乳幼児保持部１００を使用者の胸側で保持するように、使用者の左腕を第１肩ベルト部３０１に通し、右腕を第２肩ベルト部３０２に通す。おんぶの場合は、使用者は、乳幼児保持部１００を使用者の背側で保持するように、使用者の右腕を第１肩ベルト部３０１に通し、左腕を第２肩ベルト部３０２に通す。
【００３３】
ここでいう、乳幼児保持部１００の中央部近傍は、第１肩ベルト部３０１と、乳幼児保持部１００の第５取り付け位置１０５、第７取り付け位置１０７の間の部分で構成されるリングの中に使用者の片腕が入り、第２肩ベルト部３０２と乳幼児保持部１００の第６取り付け位置１０６、第８取り付け位置１０８の間の部分で構成されるリングの中に使用者のもう一方の片腕が入ることで、使用者の肩で、子守帯１を保持することができる位置関係の範囲内をいう。
【００３４】
なお、第１、第２肩ベルト部３０１、３０２は、１つの帯形状で構成され、第５、第６取り付け部１０５、１０６の間において貫設される構成であってもよい（図４参照）。この場合は、第１肩ベルト部３０１は、第５取り付け部１０５を通って延び、第２肩ベルト部３０２は、第６取り付け部１０６を通って延び、第５、第６取り付け部１０５、１０６の間で、第１、第２肩ベルト部３０１、３０２が結合される構成となり、ベルト部材の構成が一体化できる。
【００３５】
第５、第６、第７、第８取り付け部１０５、１０６、１０７、１０８は、それぞれ、乳幼児の体重で外れない係合部材である取り付け具を有する。図１〜１１では、簡単のため、フック形状と、フックが掛け止めされるリング形状で説明するが、乳幼児の安全を考慮して係合バックルなど他の取り付け具であってもよい。着脱自在な係合部材であれば、乳幼児保持部１００と、第１、第２肩ベルト部３０１、３０２の着脱が出来、洗濯などのメンテナンスが簡素化できる。また、着脱出来ることで、乳幼児保持部１００、又は肩ベルト部３００の色やデザインパターンをいくつか用意して、用途や気分に合わせた子守帯１を構成することも可能になる。後述する第９、第１０取り付け部１０９、１１０の間にある接触面、及び第１１、第１２取り付け部１１１、１１２の有する取り付け具についても同様である。
【００３６】
第５、第６取り付け部は、乳幼児保持部１００の一端部Ａの横手方向に取り付け具を複数有し、第１、第２肩ベルト部３０１、３０２と係合される位置が選択可能である。第５取り付け部にある取り付け具を１０５ａ、１０５ｂ、１０５ｃで、第６取り付け部にある取り付け具を１０６ａ、１０６ｂ、１０６ｃで表す。取り付け具を複数有することで、第５、第６取り付け部１０５、１０６に取り付けられる第１、第２肩ベルト部３０１、３０２の距離を変化させることが可能になり、この距離を使用者の肩幅よりも狭く調整することができ、肩ベルト部３００が使用者の肩からずり落ちることの防止が可能になる。
【００３７】
具体的には、乳幼児保持部１００の一端部Ａの内側に近い、取り付け具１０５ａ、１０６ａで、第１、第２肩ベルト部３０１、３０２と係合された場合は、比較的肩幅の狭い使用者に適する。一方、乳幼児保持部１００の一端部Ａの両端に近い、取り付け具１０５ｃ、１０６ｃで、第１、第２肩ベルト部３０１、３０２と係合された場合は、比較的肩幅の広い使用者に適する。本実施形態では、第５、第６取り付け部１０５、１０６の取り付け具をそれぞれ３つとしたが、他の数であってもよい。
【００３８】
第１、第２肩ベルト部３０１、３０２は、それぞれの中央部近傍の第１３、第１４取り付け部３１３、３１４で係合される背面保持ベルト部４００を有する。背面保持ベルト部４００は、第１３取り付け部３１３で係合された第１背面保持ベルト部４０１と、第１４取り付け部３１４で係合された第２背面保持ベルト部４０２から構成される。
【００３９】
第１、第２背面保持ベルト部４０１、４０２は、それぞれ先端部に、乳幼児の体重で外れず、かつ着脱自在な係合部材である取り付け具４０１ａ、４０２ａを有し、互いに係合される。背面保持ベルト部４００は、抱っこの場合は使用者の背側で係合される。おんぶの場合は係合位置が使用者の胸側となるが、係合されなくても赤ちゃんの背面保持は可能である。この係合により、使用者を軸にして反対側の位置関係にある乳幼児保持部１００と背面保持ベルト部４００で使用者を挟む形をとり、肩ベルト部３００が使用者の肩からずり落ちることの防止が可能になる。
【００４０】
ここでいう、第１、第２肩ベルト部３０１、３０２の中央部近傍は、第１、第２肩ベルト部３０１、３０２に使用者の両腕を通すことにより、乳幼児保持部１００が保持された状態において、抱っこの場合は使用者の腰より高い背中の部分で、おんぶの場合は使用者の胸の部分に、背面保持ベルト部４００が配置される位置関係の範囲内をいう。
【００４１】
背面保持ベルト部４００は、図示しない長さ調整部を有し、使用者の大きさに合わせて、ベルト部材の長さを調整できる。
【００４２】
第１、第２肩ベルト部３０１、３０２は、図示しない長さ調整部を有し、使用者の大きさに合わせて、ベルト部材の長さを調整できる。
【００４３】
使用者用腰ベルト部５００は、乳幼児保持部１００の中央部近傍の左右にある第９、第１０取り付け部１０９、１１０の間で係合されるベルト部材で、乳幼児と使用者の腰に巻かれる。使用者用腰ベルト部５００は、第９取り付け部１０９側の第１使用者用腰ベルト部５０１と、第１０取り付け部１１０側の第２使用者用腰ベルト部５０２から構成される。
【００４４】
第１、第２使用者用腰ベルト部５０１、５０２は、それぞれ先端部に、乳幼児の体重で外れず、かつ着脱自在な係合部材である取り付け具５０１ａ、５０２ａを有し、互いに係合される。使用者用腰ベルト部５００は、抱っこの場合は使用者の背側で、おんぶの場合は使用者の腹側で係合される。この係合により、使用者を軸にして反対側の位置関係にある乳幼児保持部１００と使用者用腰ベルト部５００で乳幼児と使用者を挟む形をとる。
【００４５】
ここでいう、乳幼児保持部１００の中央部近傍は、乳幼児保持部１００が折り曲げられて乳幼児が保持される際に、乳幼児の腰と使用者の腰を使用者用腰ベルト部５００が巻くことが出来る位置関係の範囲内をいう。
【００４６】
第９、第１０取り付け部１０９、１１０の間にある使用者用腰ベルト部５００と、乳幼児保持部１００の接触面は、マジックテープなどで係合される。マジックテープの他、フックとフックの掛け止め具を使って、第９、第１０取り付け部１０９、１１０の間のどこかで、使用者用腰ベルト部５００と乳幼児保持部１００を係合させてもよい。着脱自在であると、乳幼児保持部１００と、第１、第２使用者用腰ベルト部５０１、５０２の着脱が出来、洗濯などのメンテナンスが簡素化できる。
【００４７】
使用者用腰ベルト部５００は、背面部分に収納部６００を有する。収納部６００は、使用者用腰ベルト部５００との接触面でマジックテープなどの着脱自在に係合される係合部材を有するか、又は、使用者用腰ベルト部５００と一体的に固着される。収納部６００は、内部に小物を入れる第１スペース６１０と、防寒カバーを入れる第２スペース６２０を有する。第１、第２スペース６１０、６２０は、それぞれ、第１、第２ファスナー６１１、６２１でそれらの開口部が開閉される。図２は、収納部６００の内部にある第１、第２スペース６１０、６２０を破線で示す。
【００４８】
第２スペース６２０は、第２スペース６２０に防寒カバー６２２を有する。防寒カバー６２２が、第２スペース６２０から着脱自在であれば、洗濯などのメンテナンスが簡素化できる。また、着脱出来ることで、防寒カバー６２２の色やデザインパターンをいくつか用意して、用途や気分に合わせた子守帯１を構成することも可能になる。防寒カバー６２２は、乳幼児保持部１００の上から乳幼児の全体を被う。特に、子守帯１は、乳幼児の側面部分が空いているが、防寒カバー６２２によって、この部分を被うことも可能である。図２は、防寒カバー６２２を、第２スペース６２０から取り出した状態を示す。
【００４９】
使用者用腰ベルト部５００は、図示しない長さ調整部を有し、使用者の大きさに合わせて、ベルト部材の長さを調整できる。
【００５０】
使用者用腰ベルト部５００は、子守帯１を使用しない場合に、乳幼児保持部１００などを折り畳んで又は丸めて小さくした時に、これを巻いて収納することが可能である。
【００５１】
乳幼児用腰ベルト部７００は、乳幼児保持部１００の中央部近傍にある第１１、第１２取り付け部１１１、１１２で係合されるベルト部材であり、乳幼児の腰に巻かれる。乳幼児用腰ベルト部７００は、第１１取り付け部１１１で係合された第１乳幼児用腰ベルト部７０１と、第１２取り付け部１１２で係合された第２乳幼児用腰ベルト部７０２から構成される。
【００５２】
第１、第２乳幼児用腰ベルト部７０１、７０２は、それぞれ先端部に、着脱自在な係合部材である取り付け具７０１ａ、７０２ａを有し、互いに係合される。乳幼児用腰ベルト部７００は、抱っこの場合は使用者の腹側で、おんぶの場合は使用者の背側で係合される。この係合により、使用者用腰ベルト部５００とは別に乳幼児の腰をさらに保持する部材が確保され、使用者用腰ベルト部５００をある程度緩めて装着することが可能になり、乳幼児と使用者の間に通気スペースを確保することができる。
【００５３】
ここでいう、乳幼児保持部１００の中央部近傍は、乳幼児保持部１００を折り曲げて乳幼児を保持する際に、乳幼児の腰を乳幼児用腰ベルト部７００が巻くことが出来る位置関係の範囲内をいう。
【００５４】
第１１、第１２取り付け部１１１、１１２は、それぞれ、乳幼児の体重で外れない係合部材である取り付け具を有する。更に、取り付け具が係合バックルなどの着脱自在な係合部材であると、乳幼児保持部１００と、第１、第２乳幼児用腰ベルト部７０１、７０２の着脱が出来、洗濯などのメンテナンスが簡素化できる。ただし、図１〜図１１は、第１１、第１２取り付け部１１１、１１２は取り外しできない取り付け具（取り付け具は図示せず）によって、乳幼児保持部１００と第１、第２乳幼児用腰ベルト部７０１、７０２が係合されている状態を示す。
【００５５】
乳幼児用腰ベルト部７００は、図示しない長さ調整部を有し、使用者の大きさに合わせて、ベルト部材の長さを調整できる。
【００５６】
次に、子守帯１を使って、乳幼児を抱っこ及びおんぶする手順について説明する（図５〜図１０参照）。まず、乳幼児を対面した状態での抱っこする手順を説明する。
【００５７】
あらかじめ、肩ベルト部３００と乳幼児保持部１００の係合、肩ベルト部３００の長さ調整、使用者用腰ベルト部５００の長さ調整、乳幼児用腰ベルト部７００の長さ調整を、使用者及び乳幼児の体型に合わせて行っておく。但し、各ベルトの長さ調整は、子守帯１を使って使用者が乳幼児を抱っこ又はおんぶした状態で再度行ってもよい。図５は、第１肩ベルト部３０１が、取り付け具１０５ｂに、第２肩ベルト部３０２が、取り付け具１０６ｂに係合されている状態を示す。
【００５８】
使用者の左腕で乳幼児を保持しながら、使用者の右腕に第２肩ベルト部３０２を通す。乳幼児を、左腕から右腕に持ち換える。乳幼児を右腕で保持しながら、使用者の左腕に第１肩ベルト３０１を通す。このとき、乳幼児と使用者の腹側の間に乳幼児保持部１００が挟まれる（図６参照）。
【００５９】
引き続き、使用者の右腕で乳幼児を保持しながら、左腕で乳幼児保持部１００の第４取り付け部１０４の有する取り付け具１０４ａ、１０４ｂ、１０４ｃのいずれかを、乳幼児の胴体部分の左側を被うように第２肩ベルト部３０２の第２取り付け部１０２に係合する。
【００６０】
次に、乳幼児を、右腕から左腕に持ち換える。使用者の左腕で乳幼児を保持しながら、右腕で乳幼児保持部１００の第３取り付け部１０３の有する取り付け具１０３ａ、１０３ｂ、１０３ｃのいずれかを、乳幼児の胴体部分の右側を被うように、第１肩ベルト部３０１の第１取り付け部１０１に係合する。このとき、使用者は、子守帯１を使って乳幼児を保持することが可能になる（図７参照）。図７は、取り付け具１０３ｃが第１取り付け部１０１にある取り付け具に、取り付け具１０４ｃが第２取り付け部１０２にある取り付け具に係合されている状態を示す。
【００６１】
乳幼児の保持を安定にするために、第１、第２乳幼児用腰ベルト部７０１、７０２を乳幼児の背部から腹部にかけて巻く。乳幼児の腹部と使用者の腹部の間で、第１、第２乳幼児用腰ベルト部７０１、７０２の先端部７０１ａ、７０２ａを係合する。これにより、乳幼児の側面の保持が安定する。なお、図８、９に示すように、乳幼児保持部１００と使用者の腹部の間で、第１、第２乳幼児用腰ベルト部７０１、７０２の先端部７０１ａ、７０２ａを係合させた方が、乳幼児の前後方向の安定保持が図れる。
【００６２】
第１、第２使用者用腰ベルト部５０１、５０２を、乳幼児の背部から使用者の背部にかけて巻く。使用者の背部で、第１、第２使用者用腰ベルト部５０１、５２の先端部５０１ａ、５０２ａを係合する。これにより、乳幼児の側面の保持が更に安定し、乳幼児の保持に係る力が使用者の肩と腰に分散する（図８参照）。
【００６３】
最後に、使用者の背面で、第１、第２背面保持ベルト部４０１、４０２の先端部４０１ａ、４０２ａを係合する。これにより、肩ベルト部３００が使用者の肩からずり落ちることが防止される。防寒カバー６２２で乳幼児を被う必要がある場合は、収納部６００の第２ファスナー６２１を開けて防寒カバー６２２を取り出して、乳幼児を被う。
【００６４】
この手順により、乳幼児を使用者から離して台に載置することなく、使用者の片手で保持したまま、子守帯１を装着して抱っこすることが可能になる。乳幼児を対面で抱っこする手順を説明したが、乳幼児が前を向いた状態で抱っこする手順も同様である。
【００６５】
次に、乳幼児を対面抱っこした状態から、おんぶに切り換える手順を説明する。防寒カバー６２２を使用している場合には、あらかじめ防寒カバー６２２を、収納部６００に収納しておく。
【００６６】
第１、第２背面保持ベルト部４０１、４０２の先端部４０１ａ、４０２ａの係合を解除する。乳幼児の使用者のいずれかの腕で保持しながら、第１、第２肩ベルト部３０１、３０２を使用者の腕から外す。このとき、乳幼児は、使用者の腕と、使用者用腰ベルト部５００によって保持される（図９参照）。図９は、乳幼児の陰に隠れた使用者の左腕で乳幼児を保持している。
【００６７】
乳幼児を使用者のいずれかの腕で保持しながら、乳幼児、乳幼児保持部１００、乳幼児用腰ベルト部７００、及び使用者用腰ベルト部５００を、使用者を軸に回動し、乳幼児が使用者の背面に移動させる。必要に応じて、使用者用腰ベルト部５００の張力を緩めても良い。
【００６８】
使用者の右腕に、第１肩ベルト部３０１を通し、左腕に、第２肩ベルト部３０２を通す。このとき、乳幼児は抱っこの状態から、おんぶの状態に切り換えられる。
【００６９】
最後に、使用者の胸部で、第１、第２背面保持ベルト部４０１、４０２の先端部４０１ａ、４０２ａを係合する。おんぶの場合は、第１、第２背面保持ベルト部４０１、４０２が係合されなくても、他の部の係合で乳幼児の背面保持が確保される。但し、更に乳幼児の背面保持を安定させるために第１、第２背面保持ベルト部４０１、４０２は取り付け具４０１ａ、４０２ａを介して係合されてもよい。図１０では、第１、第２背面保持ベルト部４０１、４０２が係合されていない状態を示す。使用者用腰ベルト部５００の張力を緩めていた場合には、締め直す。乳幼児は、対面で抱っこする状態から、乳幼児の顔が使用者の背部に対向するおんぶの手順を説明したが、前向き抱っこの状態から、乳幼児の顔が後ろ向きになるおんぶの手順でも同様である。
【００７０】
なお、使用者の腕の持ち換える手順は左右逆でもよい。使用者の利き腕に合わせて装着しやすい順にすればよい。
【００７１】
また、図７〜図９では、第１、第２肩ベルト部３０１、３０２が乳幼児の脇の下を通るようにして、子守帯１を装着する図を示すが、図１１のように、乳幼児の肩の上を通るようにして、子守帯１を装着してもよい。
【００７２】
また、乳幼児を抱っこしていない状態から、直接子守帯１を使っておんぶする場合は、乳幼児を子守帯１に装着した後、肩ベルト部３００を両腕に通して背負う手順で行う。
【図面の簡単な説明】
【００７３】
【図１】子守帯の乳幼児と接する内側部分の斜視図である。
【図２】子守帯の乳幼児と接しない外側部分の斜視図である。
【図３】図２に、絞り部を加えた斜視図である。
【図４】子守帯の乳幼児と接する内側部分の斜視図で、肩ベルト部と乳幼児保持部の取り付け方法の変形例である。
【図５】使用者の左腕で乳幼児を保持しながら、使用者の右腕に第２肩ベルト部を通した状態を示す図である。
【図６】乳幼児を右腕で保持しながら、使用者の左腕に第１肩ベルト部を通した状態を示す図である。
【図７】乳幼児の胴体部分を被うように、乳幼児の両肩付近にある乳幼児保持部の第１、第２取り付け部に係合した状態を示す図である。
【図８】第１、第２乳幼児用腰ベルト部、第１、第２使用者用腰ベルト部を、巻いてそれぞれの先端部を係合させた状態、すなわち抱っこが完了した状態を示す図である。
【図９】抱っこ完了の状態から、第１、第２肩ベルト部を使用者の腕から外した状態を示す図である。
【図１０】おんぶが完了した状態を示す図である。
【図１１】第１、第２肩ベルト部を乳幼児の肩の上に通して、子守帯を装着した図である。
【符号の説明】
【００７４】
１００  乳幼児保持部
３００  肩ベルト部
３０１、３０２  第１、第２肩ベルト部
４００  背面保持ベルト部
４０１、４０２  第１、第２背面保持ベルト部
５００  使用者用腰ベルト部
５０１、５０２  第１、第２使用者用腰ベルト部
６００  収納部
６２２  防寒カバー
７００  乳幼児用腰ベルト部
７０１、７０２  第１、第２乳幼児用腰ベルト部
８００  絞り部
【図１】
2005052474.tif 000003
【図２】
2005052474.tif 000004
【図３】
2005052474.tif 000005
【図４】
2005052474.tif 000006
【図５】
2005052474.tif 000007
【図６】
2005052474.tif 000008
【図７】
2005052474.tif 000009
【図８】
2005052474.tif 000010
【図９】
2005052474.tif 000011
【図１０】
2005052474.tif 000012
【図１１】
2005052474.tif 000013